(57)【要約】【課題】使用者の視線が、表示画面外に移動することを極力抑えることができる。【解決手段】使用者に表示画面２６を虚像２２として視認させる透過型の頭部装着型表示装置１であって、使用者の視線を表示画面２６中央に誘導する誘導画像８１、９１、９４を、表示画面上に表示させる表示制御部７４と、誘導画像８１、９１、９４を表示する表示部３０と、を備えた。【選択図】図４
2015031703.tif 000002
【特許請求の範囲】
【請求項１】
使用者に表示画面を虚像として視認させる透過型の表示装置であって、
前記使用者の視線を前記表示画面中央に誘導する誘導画像を、前記表示画面上に表示させる表示制御部と、
前記誘導画像を表示する表示部と、を備えたことを特徴とする表示装置。
【請求項２】
前記表示制御部は、前記誘導画像として、各アプリケーションを呼び出すための画像オブジェクトであって、透視図法を用いて前記表示画面中央を消失点とする遠近画像に変換された複数の画像オブジェクトを、前記表示画面上に表示させることを特徴とする請求項１に記載の表示装置。
【請求項３】
前記複数の画像オブジェクトは、アイコン、メニューおよび縮小化したアプリケーション画面のいずれかであることを特徴とする請求項２に記載の表示装置。
【請求項４】
前記表示制御部は、前記誘導画像として、前記表示画面の外縁側から中央側に延びる複数のガイド線を、前記表示画面上に表示させることを特徴とする請求項１ないし３のいずれか１項に記載の表示装置。
【請求項５】
前記表示制御部は、前記誘導画像として、前記表示画面中央を囲う枠状画像および前記表示画面中央を囲うリング状画像のいずれか一方の画像を、前記表示画面上に表示させることを特徴とする請求項１ないし４のいずれか１項に記載の表示装置。
【請求項６】
前記表示制御部は、前記誘導画像として、前記表示画面の外縁側から中央側にかけて暗くなるグラデーション画像を、前記表示画面上に表示させることを特徴とする請求項１ないし５のいずれか１項に記載の表示装置。
【請求項７】
前記表示制御部は、前記誘導画像として、前記表示画面の外縁側から中央側に移動する複数の移動オブジェクトを、前記表示画面上に表示させることを特徴とすることを特徴とする請求項１ないし６のいずれか１項に記載の表示装置。
【請求項８】
前記表示制御部は、前記表示画面中央の所定の領域を避けて前記誘導画像を表示させることを特徴とする請求項１ないし７のいずれか１項に記載の表示装置。
【請求項９】
前記表示部は、
画像光を出力する画像光出力部と、
出力された前記画像光を前記使用者の眼に導く導光部と、を有し、
前記導光部は、外光を透過し、当該外光を前記画像光と共に前記使用者の眼に入射させることを特徴とする請求項１ないし８のいずれか１項に記載の表示装置。
【請求項１０】
使用者の頭部に装着されると共に、前記使用者に表示画面を虚像として視認させる透過型の頭部装着型表示装置であって、
前記使用者の視線を前記表示画面中央に誘導する誘導画像を、前記表示画面上に表示させる表示制御部と、
前記誘導画像を表示する表示部と、を備えたことを特徴とする頭部装着型表示装置。
【請求項１１】
使用者に表示画面を虚像として視認させる透過型の表示システムであって、
前記使用者の視線を前記表示画面中央に誘導する誘導画像を、前記表示画面上に表示させる表示制御部と、
前記誘導画像を表示する表示部と、を備えたことを特徴とする表示システム。
【請求項１２】
使用者に表示画面を虚像として視認させる透過型の表示装置の制御方法であって、
前記使用者の視線を前記表示画面中央に誘導する誘導画像を、前記表示画面上に表示させる表示制御ステップと、
前記誘導画像を表示する表示ステップと、を実行することを特徴とする表示装置の制御方法。
【発明の詳細な説明】
【技術分野】
【０００１】
本発明は、使用者に表示画面を虚像として視認させる透過型の表示装置、頭部装着型表示装置、表示システムおよび表示装置の制御方法に関するものである。
【背景技術】
【０００２】
従来、この種の表示装置として、使用者の頭部に装着される光学透過型の頭部装着型表示装置が知られている（特許文献１参照）。この表示装置では、使用者が、画像を虚像として視認すると同時に、外景（現実風景）も直接視認可能に構成されている。
【先行技術文献】
【特許文献】
【０００３】
【特許文献１】特開２０１２−１６３６３７号公報
【発明の概要】
【発明が解決しようとする課題】
【０００４】
ところで、この種の表示装置では、ハーフミラー部を有する導光板により、虚像を視認させている。すなわち、画像光をハーフミラー部で反射して使用者の眼に導くことで、使用者の視界内に表示画面を虚像として視認させる構成を有している。
しかしながら、従来の構成では、使用者が、視線を表示画面（ハーフミラー部）の外に移動してしまうことが原因で、眼球疲労や酔いを引き起こす虞があった。すなわち、使用者が、視線を表示画面外に移動すると、導光板のハーフミラー部のない部分に視線が移動することになるので、当該部分を介して外景を見ることになる。その結果、視界に歪みが生じ、使用者は違和感を覚えて、眼疲労や酔いを引き起こす虞がある。さらに言えば、導光板の外に視線が移動してしまうことも考えられる。そうすると、視線が導光板の中と外とを行ったり来たりすることで、焦点合わせを繰り返し行ってしまい、眼疲労や酔いを引き起こす虞がある。
【０００５】
本発明は、使用者の視線が、表示画面外に移動することを極力抑えることができる表示装置、頭部装着型表示装置、表示システムおよび表示装置の制御方法を提供することを課題としている。
【課題を解決するための手段】
【０００６】
本発明の表示装置は、使用者に表示画面を虚像として視認させる透過型の表示装置であって、使用者の視線を表示画面中央に誘導する誘導画像を、表示画面上に表示させる表示制御部と、誘導画像を表示する表示部と、を備えたことを特徴とする。
【０００７】
本発明の頭部装着型表示装置は、使用者の頭部に装着されると共に、使用者に表示画面を虚像として視認させる透過型の頭部装着型表示装置であって、使用者の視線を表示画面中央に誘導する誘導画像を、表示画面上に表示させる表示制御部と、誘導画像を表示する表示部と、を備えたことを特徴とする。
【０００８】
本発明の表示システムは、使用者に表示画面を虚像として視認させる透過型の表示システムであって、使用者の視線を表示画面中央に誘導する誘導画像を、表示画面上に表示させる表示制御部と、誘導画像を表示する表示部と、を備えたことを特徴とする。
【０００９】
本発明の表示装置の制御方法は、使用者に表示画面を虚像として視認させる透過型の表示装置の制御方法であって、使用者の視線を表示画面中央に誘導する誘導画像を、表示画面上に表示させる表示制御ステップと、誘導画像を表示する表示ステップと、を実行することを特徴とする。
【００１０】
これらの構成によれば、使用者の視線を表示画面中央に誘導する誘導画像を表示することで、使用者の視線が、表示画面外に移動することを極力避けることができる。これによって、使用者に違和感を生じさせず、眼疲労や酔いの一要因を排除することができる。なお、ここにいう「中央」とは、表示画面の上下方向における中央であっても良いし、表示画面の左右方向における中央であっても良い。また、上下方向および左右方向の両方における中央であっても良い。
【００１１】
上記の表示装置において、表示制御部は、誘導画像として、各アプリケーションを呼び出すための画像オブジェクトであって、透視図法を用いて表示画面中央を消失点とする遠近画像に変換された複数の画像オブジェクトを、表示画面上に表示させることが好ましい。
【００１２】
この場合、複数の画像オブジェクトは、アイコン、メニューおよび縮小化したアプリケーション画面のいずれかであることが好ましい。
【００１３】
これらの構成によれば、複数の画像オブジェクトに対し、表示画面中央を消失点とするパースをつけることで、複数の画像オブジェクトを集中線として機能させることができるので、アプリケーションを呼び出すための複数の画像オブジェクトを利用して、使用者の視線を誘導することができる。なお、画像オブジェクトは、集中線として機能しやすいように、画像オブジェクトの長手方向が、奥行方向（消失線方向）となるように変換することが好ましい。また、変換前の画像オブジェクトは、集中線として機能しやすいように、外形が略矩形の形状を有していることが好ましい。
【００１４】
また、表示制御部は、誘導画像として、表示画面の外縁側から中央側に延びる複数のガイド線を、表示画面上に表示させることが好ましい。
【００１５】
この構成によれば、外縁側から中央側に延びる複数のガイド線を用いることで、使用者の視線を効果的に誘導することができる。
【００１６】
さらに、表示制御部は、誘導画像として、表示画面中央を囲う枠状画像および表示画面中央を囲うリング状画像のいずれか一方の画像を、表示画面上に表示させることが好ましい。
【００１７】
この構成によれば、枠状画像またはリング状画像を用いることで、使用者の視線を効果的に誘導することができる。
【００１８】
またさらに、表示制御部は、誘導画像として、表示画面の外縁側から中央側にかけて暗くなるグラデーション画像を、表示画面上に表示させることが好ましい。
【００１９】
この構成によれば、明暗のグラデーション画像により、中央側を奥側とする遠近錯視が生じるので、使用者の視線を効果的に誘導することができる。なお、別の手法によって、中央側を奥側とする遠近錯視を生じさせる誘導画像を用いて、使用者の視線を誘導する構成であっても良い。
【００２０】
また、表示制御部は、誘導画像として、表示画面の外縁側から中央側に移動する複数の移動オブジェクトを、表示画面上に表示させることを特徴とすることが好ましい。
【００２１】
この構成によれば、移動オブジェクトを用いることで、使用者の視線を効果的に誘導することができる。
【００２２】
一方、表示制御部は、表示画面中央の所定の領域を避けて誘導画像を表示させることが好ましい。
【００２３】
この構成によれば、中央の領域を避けて誘導画像を表示させることで、使用者の視線を効果的に誘導することができる。また、視界の中央に、外景が見える領域を確保することができるので、外景の視認性を向上させることができる。
【００２４】
また、表示部は、画像光を出力する画像光出力部と、出力された画像光を使用者の眼に導く導光部と、を有し、導光部は、外光を透過し、当該外光を画像光と共に使用者の眼に入射させることが好ましい。
【００２５】
この構成によれば、いわゆる虚像投写型の表示装置を用いることで、簡単な構成で且つ安価な透過型の表示装置を提供することができる。
【図面の簡単な説明】
【００２６】
【図１】実施形態に係る頭部装着型表示装置の外観構成を示す説明図である。
【図２】使用者が視認可能な虚像および外景の一例について説明する図である。
【図３】頭部装着型表示装置の制御構成について説明するブロック図である。
【図４】表示画面について説明する図である。
【図５】第１変形例の表示画面について説明する図である。
【図６】第２変形例の表示画面について説明する図である。
【図７】第３変形例の表示画面について説明する画面遷移図である。
【発明を実施するための形態】
【００２７】
以下、添付の図面を参照し、本発明の一実施形態に係る表示装置、頭部装着型表示装置、表示システムおよび表示装置の制御方法について説明する。本実施形態では、本発明の表示装置を適用した頭部装着型表示装置を例示する。この頭部装着型表示装置は、使用者の頭部に装着される表示装置であり、ヘッドマウンドディスプレイ（Head  Mounted  Display：ＨＭＤ）とも呼ばれる。本実施形態の頭部装着型表示装置は、使用者に画像を虚像として視認させると同時に外景（現実風景）も直接視認可能な光学透過型の頭部装着型表示装置（透過型頭部装着型表示装置、シースルータイプ・ヘッドマウントディスプレイ）であり、眼鏡型（ゴーグル型）の形状を有している。
【００２８】
図１に示すように、頭部装着型表示装置１は、右保持部１１と、右表示駆動部１２と、左保持部１３と、左表示駆動部１４と、右光学像表示部１５と、左光学像表示部１６と、右耳用の右イヤホン１８および左耳用の左イヤホン１９と、を有している。
【００２９】
右光学像表示部１５および左光学像表示部１６は、頭部装着型表示装置１の装着時における使用者の右および左の眼前に対応する位置に配置されている。右光学像表示部１５の一端と、左光学像表示部１６の一端とは、それぞれ、頭部装着型表示装置１の装着時における使用者の眉間に対応する位置で接続されている。右光学像表示部１５の他端である端部ＥＲからは、右保持部１１が延伸している。同様に、左光学像表示部１６の他端である端部ＥＬからは、左保持部１３が延伸している。
【００３０】
右保持部１１は、右光学像表示部１５の端部ＥＲから頭部装着型表示装置１の装着時における使用者の側頭部に対応する位置にかけて、右光学像表示部１５とほぼ直角を成すように延伸して設けられた部材である。同様に、左保持部１３は、左光学像表示部１６の端部ＥＬから頭部装着型表示装置１の装着時における使用者の側頭部に対応する位置にかけて、左光学像表示部１６とほぼ直角を成すように延伸して設けられた部材である。右保持部１１および左保持部１３は、眼鏡のテンプル（つる、耳掛け）のようにして、使用者の頭部に頭部装着型表示装置１を保持する。
【００３１】
右表示駆動部１２は、右保持部１１の内側、換言すれば、頭部装着型表示装置１の装着時における使用者の頭部に対向する側であって、右光学像表示部１５の端部ＥＲ側に配置されている。また、左表示駆動部１４は、左保持部１３の内側であって、左光学像表示部１６の端部ＥＬ側に配置されている。
【００３２】
右イヤホン１８および左イヤホン１９は、使用者が頭部装着型表示装置１を装着した際に、それぞれ右および左の耳に装着され、右および左の耳への各種音声出力を行う。
【００３３】
次に図２を参照して、頭部装着型表示装置１を装着した使用者が視認可能な虚像２２および外景２３の一例について説明する。図２に示すように、頭部装着型表示装置１を装着した使用者の視界２１には、頭部装着型表示装置１が生成する表示画面２６が虚像２２として表示される。ここでは、各アプリケーションを呼び出すための複数のアイコン８１を配置した表示画面２６が表示されており、当該表示画面２６が、虚像２２が表示される（虚像２２を表示可能な）虚像表示領域２７全域に表示される。詳細は後述するが、本頭部装着型表示装置１では、当該表示画面２６により、外景２３の視認性を向上し且つ表示画面２６中央に視線を誘導するＧＵＩ（Graphical  User  Interface）を実現している。また、使用者の視界２１では、使用者は、右光学像表示部１５および左光学像表示部１６を透過して、外景２３を見ることができる。すなわち、使用者が、視界２１内において、虚像２２と外景２３とを同時に視認できるように構成されている。
【００３４】
次に図３を参照して、頭部装着型表示装置１の制御構成について説明する。図３に示すように、頭部装着型表示装置１は、使用者に虚像２２を視認させる表示部３０と、右イヤホン１８と、左イヤホン１９と、電源部３２と、インターフェース３３と、これら各部を制御する制御部３４とを有している。
【００３５】
電源部３２は、頭部装着型表示装置１の各部に電力を供給する。インターフェース３３は、画像（静止画像、動画像）や音声等のコンテンツの供給元となる種々の外部機器ＯＡを接続するためのものである。外部機器ＯＡとしては、例えば、パーソナルコンピュータ（ＰＣ）や携帯端末（携帯電話やスマートフォン等）、ゲーム端末等がある。インターフェース３３としては、例えばＵＳＢインターフェース、マイクロＵＳＢインターフェース、メモリーカード用インターフェース、無線ＬＡＮインターフェース等を採用することができる。
【００３６】
表示部３０は、右表示駆動部（画像光出力部）１２と、左表示駆動部（画像光出力部）１４と、右光学像表示部１５としての右導光板（導光部）４６と、左光学像表示部１６としての左導光板（導光部）４７と、を有している。
【００３７】
右表示駆動部１２は、光源として機能する右バックライト（ＢＬ）制御部５１および右バックライト（ＢＬ）５２と、表示素子として機能する右ＬＣＤ（Liquid  Crystal  Display）制御部５３および右ＬＣＤ５４と、右投写光学系５５とを含んでいる。
【００３８】
右バックライト制御部５１は、入力された制御信号に基づいて、右バックライト５２を駆動制御する。右バックライト５２は、例えば、ＬＥＤ（Light  Emitting  Diode）やエレクトロルミネセンス（ＥＬ）等の発光体である。右ＬＣＤ制御部５３は、入力された表示データに基づいて、右ＬＣＤ５４を駆動制御する。右ＬＣＤ５４は、複数の画素をマトリクス状に配置した透過型液晶パネルである。
【００３９】
右投写光学系５５は、右ＬＣＤ５４から射出された画像光を投写（出力）するものであり、例えば、コリメートレンズを用いて構成される。右光学像表示部１５としての右導光板４６は、光透過性の樹脂素材等によって形成され、ハーフミラー層ＨＭを有している。ハーフミラー層ＨＭにより、右投写光学系５５から出力された画像光を、所定の光路に沿って反射させつつ使用者の右眼に導く。また、右導光板４６は、外光（外景２３の光）を透過し、当該外交を上記画像光と共に使用者の眼に入射させる。なお、このハーフミラー層ＨＭが上記の虚像表示領域２７を形成している。そのため、使用者の視線が虚像表示領域２７内にあれば、ハーフミラー層ＨＭを見ることになり、ハーフミラー層ＨＭを通して外景２３を見ることになる。一方、使用者の視線が虚像表示領域２７外に移動すると、右導光板４６におけるハーフミラー層ＨＭ以外の部分を見ることになり、当該部分を通して外景２３を見ることになってしまう。
【００４０】
左表示駆動部１４は、右表示駆動部１２と同様に、左バックライト（ＢＬ）制御部６１と、左バックライト（ＢＬ）６２と、左ＬＣＤ制御部６３と、左ＬＣＤ６４と、左投写光学系６５とを含んでいる。左表示駆動部１４に含まれる各要素の構成や機能は、右表示駆動部１２に含まれる各要素と同様であるため、ここでは説明を省略する。また、左光学像表示部１６としての左導光板４７は、光透過性の樹脂素材等によって形成され、ハーフミラー層ＨＭを有している。ハーフミラー層ＨＭにより、左投写光学系６５から出力された画像光を、所定の光路に沿って反射させつつ使用者の左眼に導く。また、左導光板４７は、外光を透過し、当該外光を上記画像光と共に使用者の眼に入射させる。なお、左導光板４７は、右導光板４６と同様、ハーフミラー層ＨＭが上記の虚像表示領域２７を形成している。
【００４１】
このようにして、頭部装着型表示装置１の使用者の両眼に導かれた画像光が網膜に結像することにより、使用者は、例えば図２に示すように虚像表示領域２７内に虚像２２（表示画面２６）を視認する。なお、ここでは、画像光を網膜に結像することを、「表示」もしくは「表示する」と呼称している。
【００４２】
制御部３４は、ＣＰＵ（Central  Processing  Unit）６７と、記憶部６８とを有している。記憶部６８は、ＲＯＭ（Read  Only  Memory）やＲＡＭ（Random  Access  Memory）等により構成されており、種々のコンピュータープログラムが格納されている。ＣＰＵ６７は、記憶部６８からコンピュータープログラムを読み出して実行することにより、オペレーティングシステム（ＯＳ）７１、表示制御部７４、表示状態制御部７５、音声処理部７６およびアプリケーション実行部７７として機能する。
【００４３】
表示制御部７４は、表示データを生成し、表示データを表示部３０（右ＬＣＤ制御部５３および左ＬＣＤ制御部６３）に送信する。表示制御部７４は、上記した複数のアイコン８１を配置した表示画面２６の表示データを生成し、この表示データを表示部３０に送信する。これにより、表示画面２６を表示部３０に表示させ、複数のアイコン８１を表示画面２６上に表示させる。すなわち、本頭部装着型表示装置１では、表示制御部７４により、表示画面２６の表示データを生成して表示部３０に送信し（表示制御ステップ）、表示部３０により、送信された表示データに基づいて、複数のアイコン８１を含む表示画面２６を表示（画像光を網膜に結像）する（表示ステップ）。
【００４４】
表示状態制御部７５は、右表示駆動部１２および左表示駆動部１４を制御する制御信号を生成し、表示部３０に送信することにより、表示部３０における画像表示状態を制御する。具体的には、表示状態制御部７５は、制御信号により、右ＬＣＤ制御部５３による右ＬＣＤ５４の駆動のＯＮ／ＯＦＦや、右バックライト制御部５１による右バックライト５２の駆動ＯＮ／ＯＦＦ、左ＬＣＤ制御部６３による左ＬＣＤ６４の駆動ＯＮ／ＯＦＦや、左バックライト制御部６１による左バックライト６２の駆動のＯＮ／ＯＦＦ等を個別に制御することにより、右表示駆動部１２および左表示駆動部１４のそれぞれによる画像光の生成および射出を制御する。
【００４５】
音声処理部７６は、音声信号を右イヤホン１８および左イヤホン１９に送信して、右イヤホン１８および左イヤホン１９に音声出力を行わせる。
【００４６】
アプリケーション実行部７７は、表示画面２６を用いたユーザー操作に従って各アプリケーションを実行する。具体的には、図外のコントローラーによって、表示画面２６のアイコン８１を選択（クリック）可能に構成されており、アプリケーション実行部７７は、アイコン８１の選択を受け付けて、アイコン８１に対応するアプリケーションを実行（起動）する。
【００４７】
次に図４を参照して頭部装着型表示装置１の表示画面２６について説明する。表示画面２６は、例えば頭部装着型表示装置１のホーム画面である。図４に示すように、表示画面２６は、表示画面２６の左右に配置された複数のアイコン（画像オブジェクト）８１と、中央を除く表示画面２６全域に形成された遠近ガイド８２と、表示画面２６の中央に配置された２重円環状のターゲット８３と、を有している。また、表示画面２６の中央には、外景２３を見るための視界確保領域（所定の領域）８４が予め設定されている。また、表示画面２６の背景は、全透過とする。
【００４８】
複数のアイコン８１は、視界確保領域８４を左右に避けた退避領域８５のみに配置されている。複数のアイコン８１は、左右の退避領域８５に２分され、両退避領域８５にそれぞれ配置されている。また、各アイコン８１として、矩形のアイコン画像を、透視図法（遠近法）を用いて遠近画像に変換させたものを配置する。具体的には、矩形のアイコン画像を、表示画面２６の中央を消失点とし且つ視界確保領域８４に対する内向き（視界確保領域８４側向き）の遠近画像に変換させたものを配置する。すなわち、矩形のアイコン画像にパースをつけたものを配置している。これにより、複数のアイコン８１の矩形のアイコン画像が、使用者から見て、透視図法上、左右の壁に張り付いているかのように表示される。
【００４９】
遠近ガイド８２は、表示画面２６中央を消失点とする消失線に相当する複数の第１ガイド線９１と、水平線に相当する複数の第２ガイド線９２と、鉛直線に相当する複数の第３ガイド線９３とを有している。複数の第１ガイド線９１は、表示画面２６の外縁側から中央側に延びている。具体的には、複数の第１ガイド線９１は、視界確保領域８４を避け、表示画面２６の外縁から視界確保領域８４の手前まで延びている。なお、請求項にいう「ガイド線」は、第１ガイド線９１により構成されている。
【００５０】
複数の第２ガイド線９２は、左右方向に延びると共に、視界確保領域８４を避け、表示画面２６の上下端部に配置されている。一方、複数の第３ガイド線９３は、上下方向に延びると共に、視界確保領域８４を避け、表示画面２６の左右端部に配置されている。よって、表示画面２６の上下端部では、第１ガイド線９１および第２ガイド線９２が、透視図法上、天壁および底壁の形態を成している。一方、表示画面２６の左右端部では、第１ガイド線９１および第３ガイド線９３が、透視図法上、左側壁および右側壁の形態を成している。すなわち、第１ガイド線９１、第２ガイド線９２および第３ガイド線９３が、透視図法上、前後壁がない部屋状（箱状）の形態を成している。
【００５１】
ターゲット８３は、表示画面２６の中央を囲う２つのリング状画像９４により構成されている。２つのリング状画像９４は、径が異なると共に、表示画面２６中央を中心点とする同心円状に形成されている。
【００５２】
以上のような複数のアイコン８１、遠近ガイド８２およびターゲット８３は、使用者の視線が表示画面２６の外に移動するのを抑え、視線を表示画面２６中央（中央側）に誘導する誘導画像として機能する。一方、複数のアイコン８１および遠近ガイド８２を、視界確保領域８４を避けて配置することで、外景２３の視界２１を確保することができる。すなわち、表示画面２６によるＧＵＩは、視界確保機能と視線誘導機能とを兼ね備えている。
【００５３】
以上、本実施形態の構成によれば、使用者の視線を表示画面２６中央に誘導する誘導画像を表示することで、使用者の視線が、表示画面２６外に移動することを極力避けることができる。すなわち、眼球の移動するのではなく、体の向きや頭部の向きを変えることで、視界２１の移動を行うように仕向ける（誘導する）ことができる。これによって、使用者に違和感を生じさせず、眼疲労や酔いの一要因を排除することができる。
【００５４】
また、複数のアイコン８１に対し、表示画面２６中央を消失点とするパースをつけることで、アプリケーションを呼び出すための複数のアイコン８１を利用して、使用者の視線を誘導することができる。また、複数のアイコン８１により、中央側を奥側とする遠近錯視が生じるので、使用者の視線を効果的に誘導することができる。
【００５５】
さらに、外縁側から中央側に延びる複数の第１ガイド線９１を用いることで、使用者の視線を効果的に誘導することができる。また、遠近ガイド８２により、中央側を奥側とする遠近錯視が生じるので、使用者の視線をより効果的に誘導することができる。
【００５６】
またさらに、表示画面２６中央を囲うリング状画像９４を用いることで、使用者の視線を効果的に誘導することができる。
【００５７】
また、中央の領域を避けて複数のアイコン８１および遠近ガイド８２を表示させることで、使用者の視線を効果的に誘導することができる。また、視界２１の中央に、外景２３が見える領域を確保することができるので、外景２３の視認性を向上させることができる。
【００５８】
なお、本実施形態においては、ターゲット８３をリング状画像９４により構成したが、図５に示すように、ターゲット８３を、表示画面２６中央を囲う２つの枠状画像１０１により構成しても良い。また、ターゲット８３を、１つのリング状画像９４または１つの枠状画像１０１により構成しても良い。
【００５９】
また、本実施形態において、図６に示すように、誘導画像として、表示画面２６の外縁側から中央側にかけて暗くなるグラデーション画像１０２を、表示画面２６上に表示させる構成であっても良い。かかる構成によれば、明暗のグラデーション画像１０２により、中央側を奥側とする遠近錯視が生じるので、使用者の視線を効果的に誘導することができる。
【００６０】
さらに、本実施形態において、図７に示すように、誘導画像として、表示画面２６の外縁側から中央側に移動する複数の移動オブジェクト１０３を、表示画面２６上に表示させることを特徴とすることが好ましい。かかる構成によれば、移動オブジェクト１０３を用いることで、使用者の視線を効果的に誘導することができる。
【００６１】
またさらに、誘導画像は、使用者の視線を中央（表示画面２６の中央側、表示画面２６の中央部）に誘導する画像であれば、上述したものに限るものではない。例えば、表示画面２６上に文書を表示させる場合には、文書における文字の大きさを調整することで、使用者の視線を誘導する構成であっても良い。また、上述した誘導画像を１種のみ表示させる構成であっても良いし、上述した誘導画像の２種以上を表示させる場合の組合せについても、上述したものに限るものではない。
【００６２】
また、本実施形態においては、退避領域８５を、視界確保領域８４を左右に避けた領域（左右退避領域）としたが、退避領域８５を、視界確保領域８４を上下に避けた領域（上下退避領域）としても良い。ひいては、退避領域８５を、虚像表示領域２７のうちの、視界確保領域８４を除く全領域としても良い。
【００６３】
さらに、本実施形態においては、表示画面２６中央（使用者の視界２１の中央）の領域を視界確保領域８４としたが、これに限るものではない。例えば、足元の視界を確保すべく、表示画面２６の下半部を視界確保領域８４としても良いし、表示画面２６の左右半部や上半部を視界確保領域８４としても良い。ひいては、視界確保領域８４は、矩形の領域に限定されるものではなく、円形、楕円形の領域としても良い。
【００６４】
またさらに、本実施形態において、使用者の視界内における所定の実物体（例えば障害物）の位置を検出し、これに基づいて複数のアイコン８１の配置を変更する構成であっても良い。具体的には、頭部装着型表示装置１は、使用者の視界内における所定の実物体の位置を検出する物体検出部を、さらに備え、表示制御部７４は、物体検出部の検出結果に基づき、所定の実物体が視界確保領域８４内に位置している場合には、退避領域８５に、複数のアイコン８１を表示させ、所定の実物体が退避領域８５に位置している場合には、視界確保領域８４に、複数のアイコン８１を表示させる構成である。
【００６５】
また、本実施形態においては、複数のアイコン８１を表示画面２６上に表示させる構成であったが、各アプリケーションを呼び出すための画像オブジェクトを表示画面２６上に表示させる構成であれば、これに限るものではない。例えば、当該画像オブジェクトとして、各アプリケーションを示すメニューや、縮小化したアプリケーション画面を表示画面２６上に表示させる構成であっても良い。
【００６６】
さらに、各アプリケーションを呼び出すための複数の画像オブジェクトに代えて、各ファイルや各フォルダを呼び出すための複数の画像オブジェクト（例えばアイコン８１やショートカット等）を表示画面２６上に表示させる構成であっても良いし、各アプリケーションを呼び出すための複数の画像オブジェクトに代えて、各ユーザー操作を行うための画像オブジェクト（例えばラジオボタン、選択ボタンやソフトキーボード等）を表示画面２６上に表示させる構成であっても良い。かかる場合にも、当該各画像オブジェクトを表示画面２６中央を消失点とする遠近画像に変換して表示させる。
【００６７】
またさらに、本実施形態において、頭部装着型表示装置１が図外のコントローラーを有し、当該コントローラーに、表示制御部７４、表示状態制御部７５、音声処理部７６およびアプリケーション実行部７７の一部または全部を搭載する構成であっても良い。かかる場合、当該コントローラーは、コード等により、制御部３４もしくは表示部３０等（表示部３０、右イヤホン１８および左イヤホン１９）に有線接続されている構成であっても良いし、無線ＬＡＮや赤外線通信、Ｂｌｕｅｔｏｏｔｈ（登録商標）等により、制御部３４もしくは表示部３０等に無線接続されている構成であっても良い。また、当該コントローラーの機能を、パーソナルコンピュータ（ＰＣ）、携帯情報端末（ＰＤＡ、携帯電話、時計型携帯端末、スマートフォン）等により実現しても良い。
【００６８】
また、本実施形態においては、表示装置として両眼タイプの頭部装着型表示装置１（光学透過型頭部装着型表示装置）を例示しているが、本発明は、例えば、単眼タイプ等の他の形式の頭部装着型表示装置にも適用可能である。また、上記実施形態では、眼の前方を覆う眼鏡タイプの頭部装着型表示装置１を例示しているが、これに限るものではなく、眼の前方を完全に覆わないタイプ（眼の前方の一部を覆うタイプ）の頭部装着型表示装置にも適用可能である。さらに、本発明は、頭部装着型表示装置に限らず、ヘッドアップディスプレイ等の他の表示装置にも適用可能である。
【００６９】
さらに、本実施形態においては、画像光出力部が、バックライト制御部（右バックライト制御部５１および左バックライト制御部６１）と、バックライト（右バックライト５２および左バックライト６２）と、ＬＣＤ制御部（右ＬＣＤ制御部５３および左ＬＣＤ制御部６３）と、ＬＣＤ（右ＬＣＤ５４および左ＬＣＤ６４）とを備える構成であったが、この様態はあくまでも一例である。画像光出力部が、これらの構成部と共に、またはこれらの構成部に代えて、他の方式を実現するための構成部を備えても良い。
【００７０】
例えば、画像光出力部が、有機ＥＬ（有機エレクトロルミネッセンス，Organic  Electro-Luminescence）のディスプレイと、有機ＥＬ制御部とを備える構成としても良い。また、例えば、画像光出力部が、ＬＣＤに代えて、ＬＣＯＳ（Liquid  crystal  on  silicon，ＬＣｏＳは登録商標）や、デジタル・マイクロミラー・デバイス等を備える構成であっても良い。
【００７１】
さらに、本実施形態においては、いわゆる虚像投写型の頭部装着型表示装置１（ヘッドマウントディスプレイ）に、本発明を適用したが、例えば、レーザー網膜投影型（いわゆる網膜走査型）の頭部装着型表示装置に対して本発明を適用することも可能である。
【００７２】
またさらに、本実施形態においては、画像光出力部が、投写光学系（右投写光学系５５および左投写光学系６５）を備え、ＬＣＤから射出された画像光を投写する構成であったが、画像光出力部が、投写光学系に代えて、例えばＭＥＭＳミラーで構成された走査光学系を備えると共に、走査光学系に信号光を射出する信号光変調部（信号光形成部）を備える構成としても良い。この場合、信号光変調部で形成し射出された信号光をスキャン部である走査光学系（ＭＥＭＳミラー）に入射する。走査光学系は信号光を走査光としてハーフミラー層を有する導光体に向けて射出し、ハーフミラー層の面上において走査光が走査されることにより、画像光による虚像が形成される。この虚像を使用者が眼で捉えることで画像を認識させることができる。
【００７３】
また、本実施形態においては、頭部装着型表示装置１に本発明を適用する構成であったが、頭部装着型表示装置１と、外部機器ＯＡもしくは外部サーバーとをネットワークを介して接続した表示システムに、本発明を適用しても良い。かかる場合、表示制御部７４、表示状態制御部７５、音声処理部７６およびアプリケーション実行部７７の一部または全部を、外部機器ＯＡもしくは外部サーバー側に搭載する構成とする。
【符号の説明】
【００７４】
１：頭部装着型表示装置、  ２２：虚像、  ２６：表示画面、  ７４：表示制御部、  ８１：アイコン、  ８４：視界確保領域、  ９１：第１ガイド線、  ９４：リング状画像、  １０１：枠状画像、  １０２：グラデーション画像、  １０３：移動オブジェクト
【図１】
2015031703.tif 000003
【図２】
2015031703.tif 000004
【図３】
2015031703.tif 000005
【図４】
2015031703.tif 000006
【図５】
2015031703.tif 000007
【図６】
2015031703.tif 000008
【図７】
2015031703.tif 000009